(57)【要約】      （修正有）【課題】特段、火力発電用等の（高価な）燃料を要せず、且つ又、原子力発電の様な核廃棄物（放射性物質）を出さず、尚且つ、従来の太陽光や風力発電云々に要する（不安定な）自然エネルギーに頼らない、自発的（半人工的）な発電（蓄電）システムなどを（地上及び宇宙にて）普く実現化させる。【解決手段】ごく端的に言って、概ね、図１等の図案のものなどを程よく実施すればよく、所謂、実しやかにも、古来から・・を象徴的に表す（・・を延々と繰り返す）無限大記号の代物を関係機器内に取り入れては、適当に準用すればよい・・・云々。【選択図】図１
2014240608.tif 000002
【特許請求の範囲】
【請求項１】
概して、図１等の通り、（無限大記号を表す）八の字状等の（ゴム）チューブ類と別状、真水もしくは（浮力が増す）塩水等の溶液などを適量、入れた、２乃至４気筒、否、２から４水筒（以上）の特種シリンダ類等々を束ねたものなどを一つの系とした関係装置類を準備し、随時、当該チューブ内に配した鉄球類（重り）を各シリンダ内に浮かべた（浮子又はブイに似た軽量構造の）中空式等の特殊ピストン類の設定上の余浮力（同上鉄球の重力等よりも大きい残浮力：図２のK等参照）などをもって、所定の高さ・８の字チューブ・各ドーナツ管類の各円の中央部の止め具類の代用物あたりまで押し上げては、さしたる鉄球類の重力及び同球面と当該ピストン上面の度重なる接触による（摩擦）熱エネルギーによって、中空式ピストン内の空気室の気温が自ずと高められることなどにより、それ相応に増強した同ピストン類の（余）浮力による各物体の位置（運動）エネルギーを反復的にも効果的に利用しつつ、同球自体、八の字チューブ内で交合に循環させながら、各ピストンを上下運動させるとともに、連結上のフライホイールや増速機類、（発電時の回転抵抗力を極力、和らげる）連式等々の発電（蓄電）機類などを介して、効率よく半永久的に発電（蓄電）させるようにした 、一連の発電（蓄電）システム及び関連機器類一式。
【請求項２】
前項の発電（蓄電）システムにかかる特殊ピストン運動中、さしたるシリンダーから、水漏れなど生じる場合には、別途、図４等の通り、当該筒類の形状を（その体積・容積を増やしつつ）加工して、随時、鉄球類（重り）により、押し退けられる水量用に充当したり、且つ又、同ピストン類の上面辺りを伸縮シート類（膜類でも可）で覆ったり、特殊なピストンリングなどを適所に備え付けて対処したり、剰え、同上ピストン類の下面云々に、伸縮ケーブル類や空気ばね類、反発力を生む磁石類等々を巧みに設置して、特段、ピストン運動上の反動力・反発力などを増すようにした本機構上の補充（増強）システム及びそれ等の補助器具類一式。
【請求項３】
請求項１等の本発電（蓄電）システム上の関係機器類に、別途、図５等の様に、先ず、円柱形等の棒磁石式のピストン類を（ゴム膜等で外枠の筒類に付着させつつ）配した上で、（それ自体、磁力のない）鉄球類の代わりに、強力なネオジム磁石球等を用い、通常、同球自体、半球ごと、磁極が違うことから、とりわけ、一方の極側へ、重心をある程度、偏らせ、常に、その一方の極（さしたる棒磁石式ピストン類の上方の磁極がS極なら、S極）が、着地（最終の転がり地点）の際、下方に来るように同球等を特殊加工し、順次、さしたるネオジム磁石球の強かなる強磁性（反磁性）を応用して、同上球が、連結上の八の字形チューブ類（同球との摩擦熱・温度上昇による減磁を事前に防ぐ為、一種、メッシュシートのような通気孔のある、風通しのよい網目状の素材を使用して、適時、定期的（断続的）に、本発電・蓄電システムの余剰電力等で稼働する、付属の冷却装置からの冷風が当たりやすいよう、極力、風通しをよくしたものなど）を介して、二つの筒類の内、一つの筒上部の棒磁石式（単式又は複式）ピストン類の磁極面に至近的に接する際、当の磁石同士に働く反発力（同球にかかる重力より勝る斥力）で、幾度となく、同上球自ら、< /SPAN> さほど、（同球の転がる着地点が、一旦、棒磁石式ピストン類の一方・上方の極と合うよう、同球の内径等を調整したチューブ類の）八の字状に沿った反復運動を何回も促進させる傍ら、同上球の動きと連動した各々のエアシリンダ（空気室）内に於ける空気ばね類（必要に応じて、オプションのコイルばね等を所定の部位に付加）の弾力とさしたる磁石同士の磁力（斥力）によって、適時、関係消耗品等を補充し得る限り、半永続的に、棒磁石式の（パワー）ピストン類を上下に往復運動させては、その度重なる上下運動を（フライホイール等をもって、電気エネルギー用の）なめらかな回転運動に換えるという（無限大）発電（蓄電）システム及び関連機器類一式。
【請求項４】
請求項１及び３等の二連式等の特種シリンダー類につき、一基のフライホイール等を付したもの、或いは、各シリンダーに一対のピストン類を配した上で、各々のピストン類に、所定の回転駆動体などを対応させたものの（複合）構造からなる（マルチ）モーター・システム及び同電動機用の関連機器類一式。
【請求項５】
請求項１及び３等の二連式等の特種シリンダー類につき、一基のフライホイール等を付したもの、或いは、各シリンダーに一対のピストン類を配した上で、各々のピストン類に、所定の回転駆動体などを対応させたものの特種構造からなる＜空気＞エンジン・システム及び関連機器類一式。
【請求項６】
請求項１等の発電（蓄電）システムによる電気エネルギー等を利用した特殊仕様の空気電池並びに関連機器類一式。
【請求項７】
請求項１及び３等の特種シリンダー中のピストン空気室内の壁面の一角（一面）辺りに接合する様に、（付属のバッテリー類より、電気を供給する）ヒーター式過熱蒸気発生器）等を付属的に設備し、随時、同ヒーター類の（断続的な）稼働中に、同上室内にて、段々と（同筒類が破裂しない程度で、一種、水蒸気爆発風に）気化させては、高圧化することにより、尚もピストン類の反復力を強化させたり、要所要所に、空気ばね類などで弾力強化を測ったり、尚重く大きな鉄球類を配した上で、その分、重たくなった当該機の回転運動を増速装置類で高速させるなどというような特別方法（当初の蒸気発生機器類につき、必要に応じて、減圧装置等々を組み入れた遣り方）で、特段、ピストン往復運動（即ち 、連結上
の伝動機構を介した回転運動）により生じる出力（トルク）を増強させながら、本発電機用の（超）大型装置にも対応させるという、さほど、本発電原理を応用した大型発電プラント及び関連機器類一式。
【請求項８】
前項等の本発電装置類及び関係機器類を別途、それ等を包含する（大型の）浮体構造物などと共に成形しては、必要なら、浮き式ピストン類の上下（往復）運動に伴う当該シリンダ内の水温上昇から生じる若干の同ピストン類の浮力低下を抑えられるよう、別段、（深海の）海水等を同上シリンダ等の冷却用に為した浮体式の海上発電プラント及び関連機器類一式。
【請求項９】
請求項１等の発電（蓄電）システムに、別途、振動型等のジャイロスコープ等を巧妙に組み入れた、空気圧駆動型等の特殊構造からなる人工心臓（人工臓器）システム及び関連機器類一式。
【請求項１０】
請求項１等の（地上に於ける）発電・蓄電システムに、別途、姿勢制御用のジャイロセンサーやリアクションホイール等を巧みに組み合わせつつ、（浮き式ピストン類の余浮力等不要の）宇宙用、即ち、宇宙船類や人工衛星、宇宙ロボット用等に改良した本発電・電動システム及び関係機器類一式。
【発明の詳細な説明】
【技術分野】
【０００１】
本発明は、概して、発電（蓄電）システム上等の技術云々に関するものである。
【背景技術】
【０００２】
前述の発電技法分野に準じる。
【０００３】
尚、僭越ながら、本発明を考案するにあたり、特に参考にした既知上の文献等がない為、ここでは、あえて、以下の各項目を省略する。
【先行技術文献】
【特許文献】
【０００４】
【特許文献１】特に無し。
【非特許文献】
【０００５】
【非特許文献１】特に無し。
【発明の概要】
【発明が解決しようとする課題】
【０００６】
特段、火力発電用等の（高価な）燃料を要せず、且つ又、原子力発電の様な核廃棄物（放射性物質）を出さず、尚且つ、従来の太陽光や風力発電云々に要する（不安定な）自然エネルギーに頼らない、自発的（半人工的）な発電（蓄電）システムなどを（地上及び宇宙にて）普く実現化させる。
【課題を解決するための手段】
【０００７】
（主に地上の場合には）概して、図１等の通り、（無限大記号を表す）八の字状等の（ゴム）チューブ類と別状、真水もしくは（浮力が尚増す）塩水等の溶液などを適量、入れた、２乃至４気筒、否、２から４水筒（以上）の特種シリンダ類等々を束ねたものなどを一つの系とした関係装置類を準備し、随時、当該チューブ内に配した鉄球類（重り）を各シリンダ内に浮かべた＜浮子・ブイ式＞特殊ピストン類の余浮力（同上鉄球の重力よりも大きい残浮力のことで、さしたる水面より高い部分：図２のK等参照）などをもって、所定の高さまで押し上げては、八の字チューブ内で交合に循環させながら、各ピストンを上下運動させるとともに、連結上のフライホイールや（発電時の回転抵抗力を極力、和らげる）連式等々の発電（蓄電）機類などを介して、効率よく半永久的に発電（蓄電）させればよい・・・云々。    
【発明の効果】
【０００８】
無論、・・・し得るようになる・・・・等々。
【図面の簡単な説明】
【０００９】
【図１】本発電（蓄電）システムの主要な部位を示す概略（断面）図。＊追って、図２等々を提示する。
【発明を実施するための形態】
【００１０】
追って、手続補正にて表記する。
【実施例１】
【００１１】
追って、手続補正にて表記する。
【産業上の利用可能性】
【００１２】
追って、手続補正にて表記する。
【符号の説明】
【００１３】
A：八の字状（ゴム）チューブ類・（ダブル）ドーナツ管類。
B：（浮き式等の）特殊ピストン類。
C：特種シリンダ内の水溶液。
D1：当該シリンダ１,  D2：当該シリンダ２
E：クランク軸。
F：フライホイール。
G：鉄球類
H：増速機類
I：（連式等の）発電機・蓄電機類。
J：浮き式ピストン内部の空気室。
K：浮き式ピストン類の余浮力部分。
L：８の字チューブ・各ドーナツ管類の各円の中央部の止め具類の代用物。
＊尚（ゴム）チューブ内の各矢印及びその丸線上の八の字の内輪は、主に鉄球類の動きを表す。
【図１】
2014240608.tif 000003